(57)【要約】【課題】電波吸収機能を発揮可能であると共に、不燃性で、光を多く反射し、且つ構造物に設けるのに適した電波吸収用タイルを実現する。【解決手段】電波吸収用タイル１０は、電波吸収材料を含む材料によって構成され、電波が入射する第１の面１１ａ、これとは反対側の第２の面１１ｂ、および第１の面１１ａと第２の面１１ｂとを連結する側面１１ｃを有する不燃性の電波吸収層１１を備えている。電波吸収用タイル１０は、更に、電波吸収層１１の第１の面１１ａを覆うように配置され、電波吸収層１１を保護すると共に光を反射する光反射層１２を備えている。電波吸収用タイル１０は、全体が板状をなし、電波吸収層１１の第２の面１１ｂに対向するように電波反射層が配置されたときに電波吸収機能を発揮する。【選択図】　　　　　図１
2004132065.tif 000002
【特許請求の範囲】
【請求項１】
電波吸収材料を含む材料によって構成され、電波が入射する第１の面、これとは反対側の第２の面、および前記第１の面と第２の面とを連結する側面を有する不燃性の電波吸収層と、
前記電波吸収層の第１の面を覆うように配置され、前記電波吸収層を保護すると共に光を反射する光反射層とを備え、
全体が板状をなし、前記電波吸収層の第２の面に対向するように電波反射層が配置されたときに電波吸収機能を発揮することを特徴とする電波吸収用タイル。
【請求項２】
前記電波吸収層は、前記電波吸収材料と、無機材料と、これらを結合させる無機バインダとを含むことを特徴とする請求項１記載の電波吸収用タイル。
【請求項３】
前記光反射層は、琺瑯によって構成されていることを特徴とする請求項１または２記載の電波吸収用タイル。
【請求項４】
前記琺瑯はジルコニアを含むことを特徴とする請求項３記載の電波吸収用タイル。
【請求項５】
前記光反射層は、無機系塗料を用いて形成されていることを特徴とする請求項１または２記載の電波吸収用タイル。
【請求項６】
前記光反射層の色は、白色系の色であることを特徴とする請求項１ないし５のいずれかに記載の電波吸収用タイル。
【請求項７】
前記光反射層の視感反射率は６０％以上であることを特徴とする請求項１ないし６のいずれかに記載の電波吸収用タイル。
【請求項８】
前記光反射層は、前記電波吸収層の前記側面も覆うことを特徴とする請求項１ないし７のいずれかに記載の電波吸収用タイル。
【請求項９】
更に、前記電波吸収層の前記第２の面を覆うように配置され、前記電波吸収層を保護する保護層を備えたことを特徴とする請求項１ないし８のいずれかに記載の電波吸収用タイル。
【請求項１０】
更に、前記電波吸収層の前記第２の面に対向するように配置された電波反射層を備えたことを特徴とする請求項１ないし８のいずれかに記載の電波吸収用タイル。
【請求項１１】
更に、前記電波反射層を介して前記電波吸収層の前記第２の面を覆うように配置され、前記電波吸収層と前記電波反射層の少なくとも一方を保護する保護層を備えたことを特徴とする請求項１０記載の電波吸収用タイル。
【請求項１２】
更に、前記電波吸収層の前記第２の面を覆うように、前記電波吸収層の前記第２の面と前記電波反射層との間に配置され、前記電波吸収層を保護する保護層を備えたことを特徴とする請求項１０記載の電波吸収用タイル。
【請求項１３】
前記保護層は、前記光反射層と同じ材料によって構成されていることを特徴とする請求項９、１１または１２記載の電波吸収用タイル。
【請求項１４】
前記電波反射層は、無機導電性塗料を用いて形成されていることを特徴とする請求項１０ないし１２のいずれかに記載の電波吸収用タイル。
【請求項１５】
前記無機導電性塗料は、ステンレスとニッケルの少なくとも一方と無機バインダとを含むことを特徴とする請求項１４記載の電波吸収用タイル。
【請求項１６】
前記電波反射層の面抵抗値は、５０Ω□以下であることを特徴とする請求項１４記載の電波吸収用タイル。
【請求項１７】
前記電波反射層は、開口のない金属板、開口を有する金属板、導電性メッシュのいずれかによって構成されていることを特徴とする請求項１０ないし１２のいずれかに記載の電波吸収用タイル。
【請求項１８】
前記電波反射層は、前記電波吸収層の前記第２の面に対して無機バインダによって接着されていることを特徴とする請求項１０または１１記載の電波吸収用タイル。
【請求項１９】
前記電波反射層は、前記保護層に対して無機バインダによって接着されていることを特徴とする請求項１２記載の電波吸収用タイル。
【請求項２０】
前記電波反射層は前記電波吸収層と一体的に成形されていることを特徴とする請求項１０または１１記載の電波吸収用タイル。
【請求項２１】
前記電波吸収材料は、フェライト粉末、金属磁性体粉末、カーボングラファイト粉末、カーボンブラック粉末、金属粉末、金属酸化物粉末、カーボン繊維、金属繊維、金属酸化物繊維のうちの少なくとも１つを含むことを特徴とする請求項２記載の電波吸収用タイル。
【請求項２２】
前記無機材料は、セラミックパウダー、セラミック繊維、ロックウール繊維、ガラス繊維のうちの少なくとも１つを含むことを特徴とする請求項２記載の電波吸収用タイル。
【請求項２３】
吸水率が３％以下であることを特徴とする請求項１ないし２２のいずれかに記載の電波吸収用タイル。
【請求項２４】
曲げ強さが４０Ｎ／ｃｍ以上であることを特徴とする請求項１ないし２３のいずれかに記載の電波吸収用タイル。
【請求項２５】
前記電波吸収層の第２の面に対向するように電波反射層が配置されたときに、前記光反射層への入射角度が０〜３０度の範囲内において、周波数５．８ＧＨｚで円偏波の電波に対する反射減衰量が２０ｄＢ以上となることを特徴とする請求項１ないし２４のいずれかに記載の電波吸収用タイル。
【請求項２６】
前記電波吸収層の第２の面に対向するように電波反射層が配置されたときに、前記光反射層への入射角度が０〜８０度の範囲内において、周波数５．８ＧＨｚで円偏波の電波に対する反射減衰量が１５ｄＢ以上となることを特徴とする請求項１ないし２４のいずれかに記載の電波吸収用タイル。
【請求項２７】
請求項１ないし２６のいずれかに記載の電波吸収用タイルの設計方法であって、ほぼ前記第１の面に沿った方向に並べられ互いに目地を介して接合された複数の電波吸収用タイルの集合体が所望の電波吸収特性を発揮するように、個々の電波吸収用タイルを設計することを特徴とする電波吸収用タイルの設計方法。
【請求項２８】
請求項１ないし２６のいずれかに記載の電波吸収用タイルを、構造物に対して、接着剤、モルタル、樹脂モルタルのうちの少なくとも１つを用いて取り付けることを特徴とする電波吸収用タイルの取り付け方法。
【請求項２９】
請求項１ないし２６のいずれかに記載の電波吸収用タイルを１つ以上含む構造物であって、電波吸収機能を有することを特徴とする電波吸収構造物。
【請求項３０】
複数の前記電波吸収用タイルを含み、複数の前記電波吸収用タイルは、ほぼ前記第１の面に沿った方向に配列され、互いに目地を介して接合されていることを特徴とする請求項２９記載の電波吸収構造物。
【請求項３１】
前記光反射層への入射角度が０〜３０度の範囲内において、周波数５．８ＧＨｚで円偏波の電波に対する反射減衰量が２０ｄＢ以上であることを特徴とする請求項２９または３０記載の電波吸収構造物。
【請求項３２】
前記光反射層への入射角度が０〜８０度の範囲内において、周波数５．８ＧＨｚで円偏波の電波に対する反射減衰量が１５ｄＢ以上であることを特徴とする請求項２９または３０記載の電波吸収構造物。
【請求項３３】
請求項１ないし２６のいずれかに記載の電波吸収用タイルを複数含む電波吸収用パネルであって、複数の前記電波吸収用タイルは、ほぼ前記第１の面に沿った方向に配列されていることを特徴とする電波吸収用パネル。
【請求項３４】
複数の前記電波吸収用タイルを支持するパネル基体を備えたことを特徴とする請求項３３記載の電波吸収用パネル。
【請求項３５】
複数の前記電波吸収用タイルは、互いに目地を介して接合されていることを特徴とする請求項３３または３４記載の電波吸収用パネル。
【請求項３６】
複数の前記電波吸収用タイルは、接着剤、モルタル、樹脂モルタルのうちの少なくとも１つによって前記パネル基体に接着されていることを特徴とする請求項３４記載の電波吸収用パネル。
【請求項３７】
前記パネル基体は、前記電波反射層を兼ねていることを特徴とする請求項３４または３６記載の電波吸収用パネル。
【請求項３８】
前記電波吸収層の第２の面に対向するように電波反射層が配置されたときに、前記光反射層への入射角度が０〜３０度の範囲内において、周波数５．８ＧＨｚで円偏波の電波に対する反射減衰量が２０ｄＢ以上となることを特徴とする請求項３３ないし３７のいずれかに記載の電波吸収用パネル。
【請求項３９】
前記電波吸収層の第２の面に対向するように電波反射層が配置されたときに、前記光反射層への入射角度が０〜８０度の範囲内において、周波数５．８ＧＨｚで円偏波の電波に対する反射減衰量が１５ｄＢ以上となることを特徴とする請求項３３ないし３７のいずれかに記載の電波吸収用パネル。
【請求項４０】
請求項３３ないし３９のいずれかに記載の電波吸収用パネルを１つ以上含む構造物であって、電波吸収機能を有することを特徴とする電波吸収構造物。
【請求項４１】
トンネルの内壁に取り付けられるトンネル内装板であって、請求項１ないし２６のいずれかに記載の電波吸収用タイルを１つ以上含むことを特徴とするトンネル内装板。
【請求項４２】
トンネルの内壁に取り付けられるトンネル内装板であって、請求項３３ないし３９のいずれかに記載の電波吸収用パネルを１つ以上含むことを特徴とするトンネル内装板。
【請求項４３】
構造物において、請求項１ないし２６のいずれかに記載の電波吸収用タイルを１つ以上配置して、構造物における不要な電波の反射を抑制することを特徴とする不要電波反射抑制方法。
【請求項４４】
トンネルの内壁に、請求項１ないし２６のいずれかに記載の電波吸収用タイルを１つ以上取り付けて、トンネル内における不要な電波の反射を抑制することを特徴とする不要電波反射抑制方法。
【請求項４５】
構造物において、請求項３３ないし３９のいずれかに記載の電波吸収用パネルを１つ以上配置して、構造物における不要な電波の反射を抑制することを特徴とする不要電波反射抑制方法。
【請求項４６】
トンネルの内壁に、請求項３３ないし３９のいずれかに記載の電波吸収用パネルを１つ以上取り付けて、トンネル内における不要な電波の反射を抑制することを特徴とする不要電波反射抑制方法。
【発明の詳細な説明】
【０００１】
【発明の属する技術分野】
本発明は、構造物に設けるのに適した電波吸収用タイルとその取り付け方法および設計方法、およびこの電波吸収用タイルを用いた電波吸収用パネル、電波吸収構造物、トンネル内装板ならびに不要電波反射抑制方法に関する。
【０００２】
【従来の技術】
近年、自動料金収受（ＥＴＣ（Ｅｌｅｃｔｒｏｎｉｃ　Ｔｏｌｌ　Ｃｏｌｌｅｃｔｉｏｎ）とも呼ばれる。）システムや、走行支援道路（ＡＨＳ（Ａｄｖａｎｃｅｄ　Ｃｒｕｉｓｅ−Ａｓｓｉｓｔ　Ｈｉｇｈｗａｙ　Ｓｙｓｔｅｍ）とも呼ばれる。）等の車両運行支援システムが発展してきている。これらのシステムでは、道路に設置された路側機と車に搭載された車載器との間で電波を利用して通信を行う狭域通信（ＤＳＲＣ（Ｄｅｄｉｃａｔｅｄ　Ｓｈｏｒｔ−Ｒａｎｇｅ　Ｃｏｍｍｕｎｉｃａｔｉｏｎ）とも呼ばれる。）が用いられている。そのため、これらのシステムの発展に伴い、道路における電磁波環境の改善が求められている。
【０００３】
そこで、料金所の屋根、トンネルの内装板、ガードレール等、道路に付帯する構造物である道路付帯設備に電波吸収体を取り付けたり、道路付帯設備の主要部を電波吸収体で形成することが提案されている（特許文献１参照。）。
【０００４】
ところで、例えばトンネルの内壁に電波吸収体を設ける場合には、この電波吸収体は不燃性であることが求められる。従来、不燃性の電波吸収素材は、種々のものが提案されている。
【０００５】
例えば、特許文献２には、金属部材からなる電波反射体の片面または両面に、無機質マトリクスに補強繊維とフェライト粉体を混合分散させてなる電波吸収体を配置して、一体成型によって形成された電磁波シールド材が記載されている。
【０００６】
また、特許文献３には、水硬化性無機バインダーと磁性体粉末とを含む電磁波吸収層を有する電磁波吸収ボードが記載されている。
【０００７】
また、特許文献４には、無機質マトリックス中にフェライト粉およびカーボン粉を混合してなる成形体の片面もしくは内部に導電性面材を設けた電波吸収建材が記載されている。
【０００８】
また、特許文献５には、水硬化性無機バインダー、磁性体粉末および繊維状導電体からなる電磁波吸収層を有する電磁波吸収材が記載されている。
【０００９】
なお、特許文献６には、無機質マトリックス中にフェライト粉、金属粉、カーボン粉およびカーボン繊維の中から選ばれたいずれか１種以上を含む窯業系電波吸収層の含水率を一定にするために、窯業系電波吸収層の両面に防水層または撥水層を設けた電波吸収材が記載されている。
【００１０】
また、特許文献７には、ガラス成分からなる層を表面に形成したフェライト焼結体の板を、マイクロ波の反射を防止しようとする物体の表面に装着してなるマイクロ波反射防止壁が記載されている。
【００１１】
一方、トンネルの内壁には、トンネル内の照明効果を向上させるために、光を多く反射することが求められる。
【００１２】
特許文献８には、光を反射する機能を有する光反射型電波吸収体が記載されている。この光反射型電波吸収体は、電波吸収材と光反射材とを有している。電波吸収材の電波入射側の面と光反射材との間には、整合をとるための空気層が設けられている。
【００１３】
【特許文献１】
特開２００２−６１１３０号公報（請求項２３）
【特許文献２】
特許第３２８７９３６号公報（請求項１）
【特許文献３】
特開２０００−２６９６８０号公報（請求項１）
【特許文献４】
特開平１０−２１５０９７号公報（請求項１）
【特許文献５】
特開平１０−１５４８９３号公報（請求項１）
【特許文献６】
特開平１１−２８４３８３号公報（請求項１）
【特許文献７】
実開昭５４−１８３２０２号公報（実用新案登録請求の範囲）
【特許文献８】
特開２０００−１７４４８１号公報（請求項１）
【００１４】
【発明が解決しようとする課題】
前述のように、トンネルの内壁に電波吸収体を設ける場合には、電波吸収体は不燃性であることが求められる。一方で、トンネルの内壁には、光を多く反射することが求められる。
【００１５】
また、トンネルの内壁に設ける電波吸収体としては、フェライト焼結体を用いた電波吸収体は重いため適していない。一方、セメント、石膏、ケイ酸カルシウム等の無機材料に電波吸収材料を混合して形成された不燃性の電波吸収体は、吸水性を有すると共に、もろく、振動等により、一部が脱落するおそれがある。
【００１６】
なお、以上の説明は、電波吸収体を、建物の内壁等、トンネル以外の構造物に設ける電波吸収体にも当てはまる。
【００１７】
従来は、不燃性で、光を多く反射し、且つ構造物に設けるのに適した電波吸収体はなかった。
【００１８】
本発明はかかる問題点に鑑みてなされたもので、その第１の目的は、電波吸収機能を発揮可能であると共に、不燃性で、光を多く反射し、且つ構造物に設けるのに適した電波吸収用タイルとその取り付け方法および設計方法を提供することにある。
【００１９】
本発明の第２の目的は、上記電波吸収用タイルを用いた電波吸収用パネル、電波吸収構造物、トンネル内装板ならびに不要電波反射抑制方法を提供することにある。
【００２０】
【課題を解決するための手段】
本発明の電波吸収用タイルは、
電波吸収材料を含む材料によって構成され、電波が入射する第１の面、これとは反対側の第２の面、および第１の面と第２の面とを連結する側面を有する不燃性の電波吸収層と、
電波吸収層の第１の面を覆うように配置され、電波吸収層を保護すると共に光を反射する光反射層とを備え、
全体が板状をなし、電波吸収層の第２の面に対向するように電波反射層が配置されたときに電波吸収機能を発揮するものである。
【００２１】
本発明の電波吸収用タイルは、電波吸収層の第２の面に対向するように電波反射層が配置されたときに電波吸収機能を発揮する。また、本発明の電波吸収用タイルにおいて、光反射層は電波吸収層を保護すると共に光を反射する。
【００２２】
なお、本出願において、「不燃性」とは、建築基準法に定められた不燃材料に適合する不燃性能を有すること、および、建築基準法に定められた不燃材料の不燃性能と同等の不燃性能を有することを言う。また、「電波反射層が配置されたときに電波吸収機能を発揮する」とは、電波反射層が、例えば金属反射面を有する場合のようにほぼ完全反射体と見なせる場合のみならず、電波反射層が、複素反射係数が一定した面を有する場合も含む。
【００２３】
本発明の電波吸収用タイルにおいて、電波吸収層は、電波吸収材料と、無機材料と、これらを結合させる無機バインダとを含んでいてもよい。
【００２４】
また、本発明の電波吸収用タイルにおいて、光反射層は、琺瑯によって構成されていてもよい。琺瑯はジルコニアを含んでいてもよい。
【００２５】
また、本発明の電波吸収用タイルにおいて、光反射層は、無機系塗料を用いて形成されていてもよい。また、光反射層の色は、白色系の色であってもよい。また、光反射層の視感反射率は６０％以上であってもよい。また、光反射層は、電波吸収層の側面も覆ってもよい。
【００２６】
また、本発明の電波吸収用タイルは、更に、電波吸収層の第２の面を覆うように配置され、電波吸収層を保護する保護層を備えていてもよい。
【００２７】
また、本発明の電波吸収用タイルは、更に、電波吸収層の第２の面に対向するように配置された電波反射層を備えていてもよい。この場合、電波吸収用タイルは、更に、電波反射層を介して電波吸収層の第２の面を覆うように配置され、電波吸収層と電波反射層の少なくとも一方を保護する保護層を備えていてもよい。また、電波吸収用タイルは、更に、電波吸収層の第２の面を覆うように、電波吸収層の第２の面と電波反射層との間に配置され、電波吸収層を保護する保護層を備えていてもよい。
【００２８】
また、本発明の電波吸収用タイルにおいて、保護層は、光反射層と同じ材料によって構成されていてもよい。
【００２９】
また、本発明の電波吸収用タイルにおいて、電波反射層は、無機導電性塗料を用いて形成されていてもよい。この場合、無機導電性塗料は、ステンレスとニッケルの少なくとも一方と無機バインダとを含んでいてもよい。また、電波反射層の面抵抗値は、５０Ω□以下であってもよい。
【００３０】
また、本発明の電波吸収用タイルにおいて、電波反射層は、開口のない金属板、開口を有する金属板、導電性メッシュのいずれかによって構成されていてもよい。また、電波反射層は、電波吸収層の第２の面に対して無機バインダによって接着されていてもよい。また、電波反射層は、電波吸収層の第２の面と電波反射層との間に配置された保護層に対して無機バインダによって接着されていてもよい。また、電波反射層は電波吸収層と一体的に成形されていてもよい。
【００３１】
また、本発明の電波吸収用タイルにおいて、電波吸収層に含まれる電波吸収材料は、フェライト粉末、金属磁性体粉末、カーボングラファイト粉末、カーボンブラック粉末、金属粉末、金属酸化物粉末、カーボン繊維、金属繊維、金属酸化物繊維のうちの少なくとも１つを含んでいてもよい。
【００３２】
また、本発明の電波吸収用タイルにおいて、電波吸収層に含まれる無機材料は、セラミックパウダー、セラミック繊維、ロックウール繊維、ガラス繊維のうちの少なくとも１つを含んでいてもよい。セラミックパウダーは、カオリンを含んでいてもよい。
【００３３】
また、本発明の電波吸収用タイルは、吸水率が３％以下であってもよい。また、本発明の電波吸収用タイルは、曲げ強さが４０Ｎ／ｃｍ以上であってもよい。
【００３４】
また、本発明の電波吸収用タイルは、電波吸収層の第２の面に対向するように電波反射層が配置されたときに、光反射層への入射角度が０〜３０度の範囲内において、周波数５．８ＧＨｚで円偏波の電波に対する反射減衰量が２０ｄＢ以上となるものであってもよい。
【００３５】
また、本発明の電波吸収用タイルは、電波吸収層の第２の面に対向するように電波反射層が配置されたときに、光反射層への入射角度が０〜８０度の範囲内において、周波数５．８ＧＨｚで円偏波の電波に対する反射減衰量が１５ｄＢ以上となるものであってもよい。
【００３６】
本発明の電波吸収用タイルの設計方法は、本発明の電波吸収用タイルを設計する方法であって、ほぼ第１の面に沿った方向に並べられ互いに目地を介して接合された複数の電波吸収用タイルの集合体が所望の電波吸収特性を発揮するように、個々の電波吸収用タイルを設計するものである。
【００３７】
本発明の電波吸収用タイルの取り付け方法は、本発明の電波吸収用タイルを、構造物に対して、接着剤、モルタル、樹脂モルタルのうちの少なくとも１つを用いて取り付けるものである。
【００３８】
本発明の第１の電波吸収構造物は、本発明の電波吸収用タイルを１つ以上含む構造物であって、電波吸収機能を有するものである。
【００３９】
本発明の第１の電波吸収構造物は、複数の電波吸収用タイルを含み、複数の電波吸収用タイルは、ほぼ第１の面に沿った方向に配列され、互いに目地を介して接合されていてもよい。
【００４０】
また、本発明の第１の電波吸収構造物は、光反射層への入射角度が０〜３０度の範囲内において、周波数５．８ＧＨｚで円偏波の電波に対する反射減衰量が２０ｄＢ以上となるものであってもよい。
【００４１】
また、本発明の第１の電波吸収構造物は、光反射層への入射角度が０〜８０度の範囲内において、周波数５．８ＧＨｚで円偏波の電波に対する反射減衰量が１５ｄＢ以上となるものであってもよい。
【００４２】
本発明の電波吸収用パネルは、本発明の電波吸収用タイルを複数含み、複数の電波吸収用タイルは、ほぼ第１の面に沿った方向に配列されているものである。
【００４３】
本発明の電波吸収用パネルは、複数の電波吸収用タイルを支持するパネル基体を備えていてもよい。この場合、複数の電波吸収用タイルは、互いに目地を介して接合されていてもよい。また、複数の電波吸収用タイルは、接着剤、モルタル、樹脂モルタルのうちの少なくとも１つによってパネル基体に接着されていてもよい。また、パネル基体は、電波反射層を兼ねていてもよい。
【００４４】
また、本発明の電波吸収用パネルは、電波吸収層の第２の面に対向するように電波反射層が配置されたときに、光反射層への入射角度が０〜３０度の範囲内において、周波数５．８ＧＨｚで円偏波の電波に対する反射減衰量が２０ｄＢ以上となるものであってもよい。
【００４５】
また、本発明の電波吸収用パネルは、電波吸収層の第２の面に対向するように電波反射層が配置されたときに、光反射層への入射角度が０〜８０度の範囲内において、周波数５．８ＧＨｚで円偏波の電波に対する反射減衰量が１５ｄＢ以上となるものであってもよい。
【００４６】
本発明の第２の電波吸収構造物は、本発明の電波吸収用パネルを１つ以上含む構造物であって、電波吸収機能を有するものである。
【００４７】
本発明の第１のトンネル内装板は、トンネルの内壁に取り付けられるものであって、本発明の電波吸収用タイルを１つ以上含むものである。
【００４８】
本発明の第２のトンネル内装板は、トンネルの内壁に取り付けられるものであって、本発明の電波吸収用パネルを１つ以上含むものである。
【００４９】
本発明の第１の不要電波反射抑制方法は、構造物において、本発明の電波吸収用タイルを１つ以上配置して、構造物における不要な電波の反射を抑制するものである。
【００５０】
本発明の第２の不要電波反射抑制方法は、トンネルの内壁に、本発明の電波吸収用タイルを１つ以上取り付けて、トンネル内における不要な電波の反射を抑制するものである。
【００５１】
本発明の第３の不要電波反射抑制方法は、構造物において、本発明の電波吸収用パネルを１つ以上配置して、構造物における不要な電波の反射を抑制するものである。
【００５２】
本発明の第４の不要電波反射抑制方法は、トンネルの内壁に、本発明の電波吸収用パネルを１つ以上取り付けて、トンネル内における不要な電波の反射を抑制するものである。
【００５３】
【発明の実施の形態】
以下、本発明の実施の形態について図面を参照して詳細に説明する。
始めに、図１を参照して、本発明の一実施の形態に係る電波吸収用タイルの構成について説明する。図１は、本実施の形態に係る電波吸収用タイルの断面図である。本実施の形態に係る電波吸収用タイル１０は、電波吸収材料を含む材料によって構成され、電波が入射する第１の面１１ａ、これとは反対側の第２の面１１ｂ、および第１の面１１ａと第２の面１１ｂとを連結する側面１１ｃを有する不燃性の電波吸収層１１を備えている。電波吸収用タイル１０は、更に、電波吸収層１１の第１の面１１ａを覆うように配置され、電波吸収層１１を保護すると共に光を反射する光反射層１２を備えている。本実施の形態において、電波吸収層１１のみならず、光反射層１２も不燃性であることが好ましい。また、電波吸収用タイル１０全体としても、不燃性であることが好ましい。電波吸収用タイル１０は、全体が板状をなし、電波吸収層１１の第２の面１１ｂに対向するように電波反射層が配置されたときに電波吸収機能を発揮するようになっている。なお、図１において、符号１で示した矢印は、電波および光の進行方向を表わしている。
【００５４】
電波吸収用タイル１０の厚さは、電波吸収用タイル１０の実用上および電波吸収特性の実現性より、１〜１５ｍｍの範囲内にあることが好ましい。また、電波吸収用タイル１０の縦および横の寸法は、一般的にタイル工事に用いられるタイルの寸法であることが好ましい。例えば、トンネル内に設けるタイルの基本寸法としては、二丁掛け（２２７×６０ｍｍ）や、１００ｍｍ角二丁（目地を含めた寸法で２００×１００ｍｍ）が用いられている。従って、トンネル内に設ける電波吸収用タイル１０の寸法は、上記の基本寸法とするのが好ましい。
【００５５】
このように、電波吸収用タイル１０の寸法を一般的なタイルの寸法に合わせることにより、一般のタイルが取り付けられた領域に隣接する領域に電波吸収用タイル１０を取り付ける場合であっても、景観を損ねることなく電波吸収用タイル１０を取り付けることが可能になる。
【００５６】
また、１００ｍｍ角二丁の一般のタイルが取り付けられた領域に隣接する領域に、約１００ｍｍ角（例えば、９８×９８ｍｍ）の電波吸収用タイル１０を取り付ける場合にも、景観を損ねることを防止することができる。
【００５７】
光反射層１２は、後述するように、例えば、琺瑯によって構成されたり、無機系塗料を用いて形成されたりする。ここで、電波吸収層１１の面１１ａの全体が平坦であると、面１１ａの周縁近傍において光反射層１２が盛り上がって、光反射層１２における光を反射する面（図１における左側の面）の全体が平坦にならない場合がある。
【００５８】
そこで、光反射層１２における光を反射する面の全体が平坦になるように、電波吸収層１１の面１１ａの周縁近傍において、電波吸収層１１の縁部を面取りしてもよい。この面取りは、図２に示したように、電波吸収層１１の縁部に斜面１１ｄを形成する方法で行ってもよいし、図３に示したように、電波吸収層１１の縁部に凸形状の曲面１１ｅを形成する方法で行ってもよい。
【００５９】
図４に示したように、電波吸収層１１は、電波吸収材料１３と、無機材料１４と、これらを結合させる無機バインダ１５とを含んでいてもよい。なお、図４は、電波吸収層１１の一部を拡大して模式的に示している。
【００６０】
電波吸収材料１３は、例えば、フェライト粉末、金属磁性体粉末、カーボングラファイト粉末、カーボンブラック粉末、金属粉末、金属酸化物粉末、カーボン繊維、金属繊維、金属酸化物繊維のうちの少なくとも１つの材料を含む。
【００６１】
無機材料１４は、例えば、セラミックパウダー、セラミック繊維、ロックウール繊維、ガラス繊維のうちの少なくとも１つを含む。セラミックパウダーは、カオリンを含んでいてもよい。
【００６２】
光反射層１２は、琺瑯によって構成されていてもよい。この場合、琺瑯は、ジルコニアを含むものでもよいし、酸化チタンを含むもの等の他の琺瑯であってもよい。
【００６３】
また、光反射層１２は、無機系塗料を電波吸収層１１の面１１ａに塗布することによって形成されていてもよい。無機系塗料は、主たる構成元素として、Ｓｉ、Ａｌ、ＨおよびＯを含んでいる。無機系塗料は、添加物として、Ｃ、Ｎ等の他の元素を含んでいてもよい。無機系塗料の代表的なものに、シリケート系の塗料がある。
【００６４】
電波吸収層１１の面１１ａに無機系塗料を塗布することによって光反射層１２を形成する場合には、事前に、面１１ａに対してプライマー処理を施すことが好ましい。この場合、プライマーとしては、エポキシ樹脂系のものを用いることができる。
【００６５】
また、光反射層１２の色は、白色系の色であってもよい。また、光反射層１２の視感反射率は、６０％以上であることが好ましく、７０％以上であることがより好ましい。また、光反射層１２の視感反射率は、光反射層１２の表面が汚染されても清掃後には７０％以上を維持することが好ましい。視感反射率は、ＪＩＳ規格「ＪＩＳ　Ｋ　５４００」に示される試験方法によって評価可能である。
【００６６】
以下、本実施の形態に係る電波吸収用タイル１０のいくつかの変形例について説明する。
【００６７】
図５に示した電波吸収用タイル１０は、光反射層１２が電波吸収層１１の側面１１ｃも覆うように構成したものである。
【００６８】
図６に示した電波吸収用タイル１０は、電波吸収層１１および光反射層１２に加え、電波吸収層１１の第２の面１１ｂを覆うように配置され、電波吸収層１１を保護する保護層１７を備えたものである。保護層１７は、光反射層１２と同じ材料によって構成されていてもよい。
【００６９】
図７に示した電波吸収用タイル１０は、電波吸収層１１および光反射層１２に加え、電波吸収層１１の第２の面１１ｂを覆うように配置され、電波吸収層１１を保護する保護層１７を備えていると共に、光反射層１２が電波吸収層１１の側面１１ｃも覆うように構成したものである。この電波吸収用タイル１０では、電波吸収層１１の全体が、光反射層１２および保護層１７によって覆われる。保護層１７は、光反射層１２と同じ材料によって構成されていてもよい。この場合には、光反射層１２と保護層１７は、材料に関して連続したものとなる。
【００７０】
図８に示した電波吸収用タイル１０は、電波吸収層１１および光反射層１２に加え、電波吸収層１１の第２の面１１ｂに対向するように配置された電波反射層２１を備えたものである。電波反射層２１は不燃性であることが好ましい。また、電波吸収用タイル１０全体としても、不燃性であることが好ましい。
【００７１】
図９に示した電波吸収用タイル１０は、電波吸収層１１および光反射層１２に加え、電波吸収層１１の第２の面１１ｂに対向するように配置された電波反射層２１を備えていると共に、光反射層１２が電波吸収層１１の側面１１ｃも覆うように構成したものである。この電波吸収用タイル１０では、電波吸収層１１の全体が、光反射層１２および電波反射層２１によって覆われる。
【００７２】
図１０に示した電波吸収用タイル１０は、電波吸収層１１および光反射層１２に加え、電波吸収層１１の第２の面１１ｂに対向するように配置された電波反射層２１と、この電波反射層２１を介して電波吸収層１１の第２の面１１ｂを覆うように配置され、電波吸収層１１と電波反射層２１の少なくとも一方を保護する保護層１７とを備えたものである。
【００７３】
図１１に示した電波吸収用タイル１０は、電波吸収層１１および光反射層１２に加え、電波吸収層１１の第２の面１１ｂに対向するように配置された電波反射層２１と、この電波反射層２１を介して電波吸収層１１の第２の面１１ｂを覆うように配置され、電波吸収層１１と電波反射層２１の少なくとも一方を保護する保護層１７を備えていると共に、光反射層１２が電波吸収層１１の側面１１ｃも覆うように構成したものである。この電波吸収用タイル１０では、電波吸収層１１の全体が、光反射層１２および保護層１７によって覆われる。
【００７４】
図１２に示した電波吸収用タイル１０は、電波吸収層１１および光反射層１２に加え、電波吸収層１１の第２の面１１ｂに対向するように配置された電波反射層２１と、電波吸収層１１の第２の面１１ｂを覆うように、第２の面１１ｂと電波反射層２１との間に配置され、電波吸収層１１を保護する保護層１７とを備えたものである。
【００７５】
図１３に示した電波吸収用タイル１０は、電波吸収層１１および光反射層１２に加え、電波吸収層１１の第２の面１１ｂに対向するように配置された電波反射層２１と、電波吸収層１１の第２の面１１ｂを覆うように、第２の面１１ｂと電波反射層２１との間に配置され、電波吸収層１１を保護する保護層１７とを備えていると共に、光反射層１２が電波吸収層１１の側面１１ｃも覆うように構成したものである。この電波吸収用タイル１０では、電波吸収層１１の全体が、光反射層１２および保護層１７によって覆われる。
【００７６】
図６、図７および図１０ないし図１３に示した各電波吸収用タイル１０において、保護層１７は、光反射層１２と同じ材料によって構成されていてもよい。
【００７７】
図８ないし図１３に示した各電波吸収用タイル１０において、電波反射層２１は、無機導電性塗料を用いて形成されていてもよい。無機導電性塗料は、ステンレスとニッケルの少なくとも一方と無機バインダとを含んでいてもよい。また、無機導電性塗料を用いて形成された電波反射層２１の面抵抗値は、５０Ω□以下であってもよい。
【００７８】
また、図８ないし図１３に示した各電波吸収用タイル１０において、電波反射層２１は、開口のない金属板、開口を有する金属板、導電性メッシュのいずれかによって構成されていてもよい。導電性メッシュは、金属メッシュであってもよい。電波吸収用タイル１０が屋外に配置される場合には、開口のない金属板、開口を有する金属板、導電性メッシュの材料としてステンレスを用いるのが好ましい。
【００７９】
また、図８ないし図１１に示した各電波吸収用タイル１０において、電波反射層２１は、電波吸収層１１の第２の面１１ｂに対して無機バインダによって接着されていてもよい。
【００８０】
また、図１２または図１３に示した各電波吸収用タイル１０において、電波反射層２１は、保護層１７に対して無機バインダによって接着されていてもよい。
【００８１】
また、図８ないし図１１に示した各電波吸収用タイル１０において、電波吸収層１１と電波反射層２１は、これらを合わせたものがタイル形状になるように、一体的に成形されていてもよい。図１４ないし図１６は、一体化された電波吸収層１１および電波反射層２１の形態の３つの例を示している。
【００８２】
図１４に示した例では、電波反射層２１は、電波吸収層１１を構成する材料よりなる成形体２２の一方の面に接合されている。この例では、成形体２２の全体が電波吸収層１１となる。
【００８３】
図１５に示した例では、電波反射層２１は、電波吸収層１１を構成する材料よりなる成形体２２の中に埋め込まれている。電波反射層２１は、成形体２２内において、成形体２２の一方の面に近い位置に配置されている。また、電波反射層２１の側面は露出している。この例では、成形体２２のうち、電波反射層２１よりも、電波の到来側（図における左側）の部分が電波吸収層１１となる。
【００８４】
図１６に示した例では、電波反射層２１は、電波吸収層１１を構成する材料よりなる成形体２２の中に埋め込まれている。電波反射層２１は、成形体２２内において、成形体２２の一方の面に近い位置に配置されている。また、電波反射層２１の側面は露出していない。この例では、成形体２２のうち、電波反射層２１よりも、電波の到来側（図における左側）の部分が電波吸収層１１となる。
【００８５】
図１５および図１６に示した各例のように、電波反射層２１が成形体２２の中に埋め込まれる場合には、電波反射層２１は、開口を有する金属板または導電性メッシュによって構成されることが好ましい。
【００８６】
図１４ないし図１６に示したように、電波吸収層１１と電波反射層２１を一体的に成形することは、プレス成形によって容易に行うことができる。
【００８７】
本実施の形態に係る電波吸収用タイル１０の吸水率は、３％以下であることが好ましい。吸水率は、ＪＩＳ規格「ＪＩＳ　Ａ　５２０９」に示される試験方法によって評価可能である。
【００８８】
また、本実施の形態に係る電波吸収用タイル１０の曲げ強さは、４０Ｎ／ｃｍ以上であることが好ましい。電波吸収用タイル１０が屋外に配置される場合には、電波吸収用タイル１０の曲げ強さは、８０Ｎ／ｃｍ以上であることが好ましい。曲げ強さは、ＪＩＳ規格「ＪＩＳ　Ａ　５２０９」に示される試験方法によって評価可能である。
【００８９】
図７、図１１および図１３に示したように、電波吸収層１１の全体が光反射層１２および保護層１７によって覆われる構造の電波吸収用タイル１０において、光反射層１２および保護層１７を琺瑯で構成した場合には、電波吸収用タイル１０の曲げ強さを容易に大きくすることが可能である。
【００９０】
また、図８ないし図１３に示したように、電波反射層２１を有する電波吸収用タイル１０では、電波反射層２１によって、電波吸収用タイル１０の曲げ強さを大きくすることができる。
【００９１】
本実施の形態に係る電波吸収用タイル１０は、電波吸収層１１の第２の面１１ｂに対向するように電波反射層２１が配置されたときに電波吸収機能を発揮する。
【００９２】
電波吸収用タイル１０は、電波吸収層１１の第２の面１１ｂに対向するように電波反射層２１が配置されたときに、光反射層１２への入射角度が０〜３０度の範囲内において、周波数５．８ＧＨｚで円偏波の電波に対する反射減衰量が２０ｄＢ以上となることが好ましい。
【００９３】
また、電波吸収用タイル１０は、電波吸収層１１の第２の面１１ｂに対向するように電波反射層２１が配置されたときに、光反射層１２への入射角度が０〜８０度の範囲内において、周波数５．８ＧＨｚで円偏波の電波に対する反射減衰量が１５ｄＢ以上となることが好ましい。
【００９４】
また、電波吸収用タイル１０において、光反射層１２は電波吸収層１１を保護すると共に光を反射する。また、電波吸収用タイル１０において、少なくとも電波吸収層１１は不燃性である。不燃性の電波吸収層１１は、吸水性を有すると共に、もろく、振動等により、一部が脱落するおそれがある。しかし、本実施の形態では、光反射層１２が電波吸収層１１の第１の面１１ａを覆って電波吸収層１１を保護しているので、電波吸収層１１が吸水することや、電波吸収層１１の一部が脱落することを防止することができる。
【００９５】
以上のことから、本実施の形態によれば、電波吸収機能を発揮可能であると共に、不燃性で、光を多く反射し、且つ構造物に設けるのに適した電波吸収用タイル１０を実現することができる。本実施の形態にかかる電波吸収用タイル１０は、トンネルの内壁や、建物の内壁、外壁、天井等に設けるのに適している。
【００９６】
ところで、１つの電波吸収用タイル１０が占める面積よりも大きな面積の領域において不要な電波の反射を抑制したい場合には、複数の電波吸収用タイル１０を、ほぼ、電波吸収層１１の第１の面１１ａに沿った方向に並べて配置することが考えられる。ここで、複数の電波吸収用タイル１０を、互いに目地を介して接合する場合について考える。この場合には、互いに目地を介して接合された複数の電波吸収用タイル１０の集合体が所望の電波吸収特性を発揮するように、個々の電波吸収用タイル１０を設計する必要がある。
【００９７】
以下、上記の場合における電波吸収用タイル１０の設計方法の一例について説明する。ここでは、図１７および図１８に示したように、互いに目地を介して接合された９枚の電波吸収用タイル１０を含む電波吸収体を例にとって説明する。図１７は電波吸収体の正面図、図１８は電波吸収体の断面図である。この例では、電波吸収用タイル１０としては、電波反射層２１を含まないものを用いている。図１７に示したように、９枚の電波吸収用タイル１０は、３×３のマトリックスに配列され、互いに、縦目地３１および横目地３２を介して接合されている。また、図１８に示したように、各電波吸収用タイル１０の光反射層１２とは反対側の面は、アルミニウムテープ３３によって金属板３４に接合されている。この例では、アルミニウムテープ３３が電波反射層２１となる。
【００９８】
この例では、電波吸収用タイル１０の縦および横の寸法は１００×１００ｍｍである。また、電波吸収層１１の厚さは５．４ｍｍである。また、電波吸収層１１は、Ｎｉ−Ｚｎ系フェライト粉末を２７重量％含有している。また、光反射層１２は、厚さ０．１５ｍｍの琺瑯で構成されている。
【００９９】
次に、図１７および図１８に示した電波吸収体の電波吸収性能を測定した結果を図１９に示す。図１９は、電波の周波数と電波吸収体の反射減衰量との関係を示している。ここでは、縦目地３１と横目地３２の幅は同一とし、この幅が３ｍｍの場合と５ｍｍの場合とについて測定を行った。また、目地３１，３２を設けずに９枚の電波吸収用タイル１０を配置した場合についても測定を行った。また、測定では、電波吸収体に入射される電波はＴＥ波とし、電波の入射角度は５°とした。
【０１００】
図１９から、目地３１，３２の幅が大きくなるに従って、反射減衰量が最大となる周波数は高周波側に移動すると共に、目地３１，３２の幅が変化すると反射減衰量の大きさも変化することが分かる。このことから、互いに目地を介して接合された複数の電波吸収用タイル１０を含む電波吸収体が所望の電波吸収特性を発揮するようにするためには、電波吸収用タイル１０の設置時における目地の幅および目地の材質を考慮して、個々の電波吸収用タイル１０の電波吸収性能を設計する必要があることが分かる。実際の電波吸収用タイル１０の設計においては、目地の幅や目地の材質に応じて、電波吸収層１１の厚さや、電波吸収層１１における電波吸収材料の混合量を調整することにより、複数の電波吸収用タイル１０を含む電波吸収体において所望の電波吸収特性を実現することが可能である。また、図１９に示した測定結果から、同じ電波吸収用タイル１０を用いた場合であっても、目地の幅を調整することによって、複数の電波吸収用タイル１０を含む電波吸収体の電波吸収性能を調整できることも分かる。
【０１０１】
目地による電波吸収特性の変化を考慮して電波吸収用タイル１０を設計する方法の例としては、以下のような方法がある。この方法では、まず、目地がない場合における電波吸収体の複素反射係数Γ００＊（＊は複素数であることを表す。）と、縦目地３１の幅がｘで横目地３２の幅がｙである場合における複素反射係数Γｘｙ＊とを、それぞれ測定によって求める。次に、縦目地３１の幅がｘで横目地３２の幅がｙである場合における目地の影響による複素反射係数の変化量△Γｘｙ＊＝Γｘｙ＊−Γ００＊を求める。目地がない場合における複素反射係数は、分布定数線路理論によって計算可能である。ここで、目地がない場合における複素反射係数の計算結果をΓ００ｃａｌ＊とし、縦目地３１の幅がｘで横目地３２の幅がｙである場合における複素反射係数の計算値をΓｘｙｃａｌ＊とする。この計算値Γｘｙｃａｌ＊は、Γｘｙｃａｌ＊＝Γ００ｃａｌ＊＋△Γｘｙ＊として求めることが可能である。目地の影響は、電波の周波数、偏波、入射角度、入射面と目地の向きの関係、電波吸収層１１の縦および横の寸法、電波吸収層１１の厚さ、目地の材質、目地の幅、目地の深さによって異なる。また、目地の影響は、電波吸収用タイル１０の数や形態によっても異なるものと考えられる。従って、この方法では、複数の電波吸収用タイル１０を含む電波吸収体に要求される種々の条件に合わせて、目地の影響による複素反射係数の変化量を求める必要がある。
【０１０２】
また、時間領域差分法や有限積分法等を用いて、シミュレーションのみによって、目地が存在する場合の電波吸収体の電波吸収性能を求めることも可能である。
【０１０３】
上述のように、目地による電波吸収特性の変化を考慮して電波吸収用タイル１０を設計することにより、互いに目地を介して接合された複数の電波吸収用タイル１０の集合体が所望の電波吸収特性を発揮するようにすることができる。
【０１０４】
次に、本実施の形態に係る電波吸収構造物について説明する。この電波吸収構造物は、電波吸収用タイル１０を１つ以上含み、電波吸収機能を有するものである。また、電波吸収構造物は、複数の電波吸収用タイル１０を含み、複数の電波吸収用タイル１０は、ほぼ、電波吸収層１１の第１の面１１ａに沿った方向に配列され、互いに目地を介して接合されていてもよい。なお、複数の電波吸収用タイル１０の集合体の面は湾曲していてもよい。電波吸収構造物の例については後で説明する。
【０１０５】
電波吸収構造物は、光反射層１２への入射角度が０〜３０度の範囲内において、周波数５．８ＧＨｚで円偏波の電波に対する反射減衰量が２０ｄＢ以上であることが好ましい。
【０１０６】
また、電波吸収構造物は、光反射層１２への入射角度が０〜８０度の範囲内において、周波数５．８ＧＨｚで円偏波の電波に対する反射減衰量が１５ｄＢ以上であることが好ましい。
【０１０７】
また、電波吸収構造物は、既設の構造物に対して１つ以上の電波吸収用タイル１０を取り付けることによって構成してもよい。この場合、接着剤、モルタル、樹脂モルタルのうちの少なくとも１つを用いて、電波吸収用タイル１０を既設の構造物に取り付けてもよい。これにより、簡単に、電波吸収機能を有する構造物を構成することができる。接着剤は、無機系接着剤でもよいし、有機系接着剤でもよい。
【０１０８】
ここで、図２０を参照して、既設の構造物に電波吸収用タイル１０を取り付けて電波吸収構造物を構成する方法の一例について説明する。この例では、既設の構造物４１の１つの面に、接着剤４２によって、複数の電波吸収用タイル１０を取り付けることによって、電波吸収構造物を構成している。複数の電波吸収用タイル１０は、互いに目地を介して接合されている。電波吸収用タイル１０が電波反射層２１を含んでいる場合には、電波吸収用タイル１０と構造物４１との間の接着剤４２の層の厚さによらずに、電波吸収用タイル１０の設計のみによって、電波吸収構造物において所望の電波吸収特性を実現することが可能である。
【０１０９】
構造物４１が電波反射層２１となり得る場合には、電波吸収用タイル１０は電波反射層２１を含んでいなくてもよい。電波吸収用タイル１０が電波反射層２１を含まず、構造物４１が電波反射層２１となる場合には、電波吸収用タイル１０と構造物４１との間の接着剤４２の層の厚さを見込んで、電波吸収構造物において所望の電波吸収特性が得られるように、電波吸収用タイル１０を設計する必要がある。
【０１１０】
次に、本実施の形態に係る電波吸収用パネルについて説明する。本実施の形態に係る電波吸収用パネルは複数の電波吸収用タイル１０を含むものである。この電波吸収用パネルにおいて、複数の電波吸収用タイル１０は、ほぼ、電波吸収層１１の第１の面１１ａに沿った方向に配列されている。なお、電波吸収用パネルは湾曲していてもよい。
【０１１１】
電波吸収用パネルは、複数の電波吸収用タイル１０を接合して製造してもよいし、次の方法によって製造してもよい。その方法とは、複数の電波吸収層１１を、ほぼ第１の面１１ａに沿った方向に配列すると共に互いに接合して、パネル体を形成した後、このパネル体を構成する複数の電波吸収用タイル１０に対して塗装等によって光反射層１２を設ける方法である。保護層１７や電波反射層２１も、光反射層１２と同様にして設けてもよい。
【０１１２】
また、電波吸収用パネルは、複数の電波吸収用タイル１０を支持するパネル基体を備えていてもよい。ここで、図２１および図２２を参照して、パネル基体を備えた電波吸収用パネルの構成の一例について説明する。図２１は電波吸収用パネルの正面図、図２２は電波吸収用パネルの断面図である。この例では、電波吸収用パネル５０は、矩形の平板状のパネル基体５１を備えている。複数の電波吸収用タイル１０は、接着剤５２によって、パネル基体５１の一方の面に取り付けられている。接着剤５２は、無機系接着剤でもよいし、有機系接着剤でもよい。複数の電波吸収用タイル１０は、互いに目地を介して接合されている。
【０１１３】
電波吸収用タイル１０が電波反射層２１を含んでいる場合には、電波吸収用タイル１０とパネル基体５１との間の接着剤５２の層の厚さによらずに、電波吸収用タイル１０の設計のみによって、電波吸収用パネル５０において所望の電波吸収特性を実現することが可能である。
【０１１４】
パネル基体５１が電波反射層２１となり得る場合には、電波吸収用タイル１０は電波反射層２１を含んでいなくてもよい。電波吸収用タイル１０が電波反射層２１を含まず、パネル基体５１が電波反射層２１となる場合には、電波吸収用タイル１０とパネル基体５１との間の接着剤５２の層の厚さを見込んで、電波吸収用パネル５０において所望の電波吸収特性が得られるように、電波吸収用タイル１０を設計する必要がある。
【０１１５】
図２３は、パネル基体を備えた電波吸収用パネルの他の例を示す正面図である。この例の電波吸収用パネルは、図２１および図２２に示した電波吸収用パネルと比較すると、電波吸収用タイル１０の形状と配列が異なっているが、他の構成は同様である。
【０１１６】
本実施の形態に係る電波吸収用パネルは、電波吸収層１１の第２の面１１ｂに対向するように電波反射層２１が配置されたときに、光反射層１２への入射角度が０〜３０度の範囲内において、周波数５．８ＧＨｚで円偏波の電波に対する反射減衰量が２０ｄＢ以上となることが好ましい。
【０１１７】
また、本実施の形態に係る電波吸収用パネルは、電波吸収層１１の第２の面１１ｂに対向するように電波反射層２１が配置されたときに、光反射層１２への入射角度が０〜８０度の範囲内において、周波数５．８ＧＨｚで円偏波の電波に対する反射減衰量が１５ｄＢ以上となることが好ましい。
【０１１８】
本実施の形態によれば、電波吸収機能を発揮可能であると共に、不燃性で、光を多く反射し、且つ構造物に設けるのに適した電波吸収用パネルを実現することができる。
【０１１９】
本実施の形態に係る電波吸収構造物は、電波吸収用パネルを１つ以上含み、電波吸収機能を有するものであってもよい。また、電波吸収構造物は、複数の電波吸収用パネルを含み、複数の電波吸収用パネルは、ほぼ、電波吸収層１１の第１の面１１ａに沿った方向に配列され、互いに目地を介して接合されていてもよい。なお、複数の電波吸収用パネルの集合体の面は湾曲していてもよい。電波吸収構造物の例については後で説明する。
【０１２０】
電波吸収用パネルを含む電波吸収構造物は、光反射層１２への入射角度が０〜３０度の範囲内において、周波数５．８ＧＨｚで円偏波の電波に対する反射減衰量が２０ｄＢ以上であることが好ましい。
【０１２１】
また、電波吸収用パネルを含む電波吸収構造物は、光反射層１２への入射角度が０〜８０度の範囲内において、周波数５．８ＧＨｚで円偏波の電波に対する反射減衰量が１５ｄＢ以上であることが好ましい。
【０１２２】
また、電波吸収構造物は、既設の構造物に対して１つ以上の電波吸収用パネルを取り付けることによって構成してもよい。この場合、接着剤を用いて、電波吸収用パネルを既設の構造物に取り付けてもよい。接着剤は、無機系接着剤でもよいし、有機系接着剤でもよい。
【０１２３】
ここで、図２４および図２５を参照して、既設の構造物に電波吸収用パネルを取り付けて電波吸収構造物を構成する方法の一例について説明する。図２４は電波吸収構造物の一部の正面図、図２５は電波吸収構造物の一部の断面図である。この例では、既設の構造物４１の１つの面に、接着剤５３によって、複数の電波吸収用パネル６０を取り付けることによって、電波吸収構造物を構成している。複数の電波吸収用パネル６０は、例えば、互いに目地を介して接合されている。なお、電波吸収用パネル６０は、図２１および図２２に示した電波吸収用パネル５０と同じ構成であってもよいし、図２３に示した電波吸収用パネル５０と同じ構成であってもよいし、他の構成であってもよい。電波吸収用パネル６０を構成する各電波吸収用タイル１０は、電波反射層２１を含んでいてもよい。構造物４１が電波反射層２１となり得る場合には、電波吸収用タイル１０は電波反射層２１を含んでいなくてもよい。
【０１２４】
以下、本実施の形態に係る電波吸収用タイル１０または電波吸収用パネル６０が用いられる構造物の例について説明する。
【０１２５】
構造物としては、例えばトンネルがある。この場合には、トンネルの内壁に設けられるトンネル内装板として、電波吸収用タイル１０または電波吸収用パネル６０を用いることが考えられる。
【０１２６】
また、構造物としては、道路の掘割部がある。この場合には、掘割部の壁面に電波吸収用タイル１０または電波吸収用パネル６０を用いることが考えられる。
【０１２７】
また、構造物としては、例えば、駐車場内の構造物や駐車場の付帯設備がある。駐車場内の構造物は、壁、天井、床、支柱等である。また、駐車場の付帯設備とは、課金・集金を行なうシステム装置、センサー機器、昇降機等である。電波吸収用タイル１０または電波吸収用パネル６０は、特に、屋内駐車場や立体駐車場等の、構造物が不燃性を必要とする駐車場内での使用に適している。
【０１２８】
また、構造物としては、例えば、ガソリンスタンド内の構造物やガソリンスタンドの付帯設備がある。ガソリンスタンド内の構造物は、壁、天井、床、支柱等である。また、ガソリンスタンドの付帯設備とは、課金・集金を行なうシステム装置、センサー機器、給油装置等である。
【０１２９】
また、構造物としては、例えば、自動料金収受システム（ＥＴＣ）を用いたドライブスルー付近の構造物や、このドライブスルーの付帯設備がある。ドライブスルー付近の構造物は、壁、天井、床、支柱等である。また、ドライブスルーの付帯設備とは、課金・集金を行なうシステム装置、センサー機器等である。
【０１３０】
このように、本実施の形態に係る電波吸収用タイル１０または電波吸収用パネル６０は、以下のような個所に設けるのに適している。その個所とは、まず、不要な電波の反射を抑制すべく、電波吸収機能を有する必要がある個所である。また、その個所とは、火災等に対する安全性を確保すべく、不燃性を有する必要がある個所である。また、その個所とは、更に、車両のヘッドライト等からの光を適切に反射することによって、ドライバーや歩行者の安全を確保すべく、また、照明装置からの光を適切に反射することによって、不要な電力消費を防止すべく、光反射機能を有する必要がある個所である。
【０１３１】
本実施の形態に係る不要電波反射抑制方法は、上記のような種々の構造物において、本実施の形態に係る電波吸収用タイル１０または電波吸収用パネル６０を１つ以上配置して、構造物における不要な電波の反射を抑制するものである。本実施の形態に係る不要電波反射抑制方法の一例としては、トンネルの内壁に、電波吸収用タイル１０または電波吸収用パネル６０を１つ以上配置して、トンネル内における不要な電波の反射を抑制する方法がある。本実施の形態に係る不要電波反射抑制方法によれば、不燃性で、光を多く反射し、且つ構造物に設けるのに適した電波吸収用タイル１０を用いて、構造物における不要な電波の反射、例えばトンネル内における不要な電波の反射を抑制することができる。
【０１３２】
以下、本実施の形態に係る電波吸収用タイル１０の特性の具体例について説明する。まず、周波数５．８ＧＨｚで円偏波の電波に対する電波吸収用タイル１０の反射減衰量の計算結果の一例を示す。この例では、複数の電波吸収用タイル１０を縦目地および横目地を介して接合して構成された電波吸収用タイル１０の集合体について、反射減衰量を計算した。この例における電波吸収用タイル１０の縦および横の寸法は１００×１００ｍｍである。縦目地および横目地の幅は、共に３ｍｍである。また、電波吸収層１１の厚さは５．５ｍｍである。また、電波吸収層１１は、Ｎｉ−Ｚｎ系フェライト粉末を２６重量％含有している。また、光反射層１２は、厚さ０．１５ｍｍの琺瑯で構成されている。また、この例では、電波吸収層１１の第２の面１１ｂに対向するように電波反射層２１が設けられている。
【０１３３】
上記の電波吸収用タイル１０の集合体について反射減衰量を計算した結果を図２６に示す。図２６は、電波吸収用タイル１０の集合体に対する電波の入射角度と集合体の反射減衰量との関係を示している。
【０１３４】
次に、製造に起因する電波吸収用タイル１０の特性のばらつきを考慮して、周波数５．８ＧＨｚで円偏波の電波に対する電波吸収用タイル１０の反射減衰量を計算した結果の一例を示す。この例では、複数の電波吸収用タイル１０を縦目地および横目地を介して接合して構成された電波吸収用タイル１０の集合体について、反射減衰量を計算した。この例における電波吸収用タイル１０の縦および横の寸法は１００×１００ｍｍである。縦目地および横目地の幅は、共に３ｍｍである。また、この例では、電波吸収層１１の第２の面１１ｂに対向するように電波反射層２１が設けられている。この例では、電波吸収層１１の厚さ、電波吸収層１１のＮｉ−Ｚｎ系フェライト粉末の含有量、および琺瑯によって構成された光反射層１２の厚さが、それぞればらつきを有するものとした。電波吸収層１１の厚さは、５．５±０．１ｍｍの範囲内の値となるものとした。電波吸収層１１のＮｉ−Ｚｎ系フェライト粉末の含有量は、２６±１重量％の範囲内の値となるものとした。光反射層１２の厚さは、０．１５±０．０５ｍｍの範囲内の値となるものとした。
【０１３５】
図２７は、上記のばらつきに関する条件に基づき、電波吸収層１１の厚さを５．４、５．５または５．６ｍｍとし、電波吸収層１１のＮｉ−Ｚｎ系フェライト粉末の含有量を２５、２６または２７重量％とし、光反射層１２の厚さを０．１、０．１５または０．２ｍｍとし、これらの組み合わせのそれぞれに対して、周波数５．８ＧＨｚで円偏波の電波に対する電波吸収用タイル１０の集合体の反射減衰量を計算した結果を示している。図２７では、各入射角度における反射減衰量の範囲（反射減衰量の最大値から最小値までの範囲）を示している。
【０１３６】
図２６に示した結果計算より、製造に起因する電波吸収用タイル１０の特性のばらつきを小さくすることによって、電波吸収用タイル１０の集合体は、入射角度が０〜５０°の範囲内において、２０ｄＢ以上の反射減衰量を実現可能であることが分かる。
【０１３７】
また、図２７に示した結果計算における各入射角度に対する反射減衰量の最小値を見ることによって、電波吸収用タイル１０の特性のばらつきを考慮しても、電波吸収用タイル１０の集合体は、入射角度が０〜３０°の範囲内において、２０ｄＢ以上の反射減衰量を実現可能であり、入射角度が０〜８０°の範囲において、１５ｄＢ以上の反射減衰量を実現可能であることが分かる。
【０１３８】
次に、周波数５．８ＧＨｚで円偏波の電波に対する電波吸収用タイル１０の反射減衰量の測定結果の一例を示す。この例では、まず、次のような電波吸収用タイル１０を製造した。この電波吸収用タイル１０の縦および横の寸法は１００×１００ｍｍである。また、電波吸収層１１の厚さは５．４ｍｍである。また、電波吸収層１１は、Ｎｉ−Ｚｎ系フェライト粉末を２７重量％含有している。また、光反射層１２は、厚さ０．１５ｍｍの琺瑯で構成されている。また、この例では、電波吸収層１１の第２の面１１ｂに対向するように電波反射層２１が設けられている。この例では、次に、９枚の電波吸収用タイル１０を、縦目地および横目地を設けて３×３のマトリックスに配列し、金属板に取り付けて、電波吸収用タイル１０の集合体を作製した。縦目地および横目地の幅は、共に３ｍｍである。
【０１３９】
上記の電波吸収用タイル１０の集合体について反射減衰量の測定を行った結果を図２８に示す。図２８は、電波吸収用タイル１０の集合体に対する電波の入射角度と集合体の反射減衰量との関係を示している。電波吸収用タイル１０の集合体は、入射角度が０〜６０°の範囲内において、２０ｄＢ以上の反射減衰量を実現し、入射角度が６０〜８０°の範囲内において、１５ｄＢ以上の反射減衰量を実現していることが分かる。
【０１４０】
次に、周波数５．８ＧＨｚで円偏波の電波に対して、入射角度が０〜８０°の範囲内において、２０ｄＢ以上の反射減衰量を実現できるようにした電波吸収用タイル１０の設計結果の一例について説明する。この例では、複数の電波吸収用タイル１０を縦目地および横目地を介して接合して構成された電波吸収用タイル１０の集合体について、反射減衰量を計算した。この例における電波吸収用タイル１０の縦および横の寸法は１００×１００ｍｍである。縦目地および横目地の幅は、共に３ｍｍである。また、電波吸収層１１の厚さは５．６ｍｍである。また、電波吸収層１１は、Ｎｉ−Ｚｎ系フェライト粉末を２７重量％含有している。また、光反射層１２は、厚さ０．１ｍｍの琺瑯で構成されている。また、この例では、電波吸収層１１の第２の面１１ｂに対向するように電波反射層２１が設けられている。
【０１４１】
上記の電波吸収用タイル１０の集合体について反射減衰量を計算した結果を図２９に示す。図２９は、電波吸収用タイル１０の集合体に対する電波の入射角度と集合体の反射減衰量との関係を示している。
【０１４２】
図２９に示した結果計算より、電波吸収用タイル１０の集合体は、入射角度が０〜８０°の範囲内において、２０ｄＢ以上の反射減衰量を実現可能であることが分かる。
【０１４３】
次に、図３０を参照して、本実施の形態に係るトンネル内装板について説明する。図３０は、トンネルの内壁を示している。図３０に示したように、本実施の形態に係るトンネル内装板７０は、トンネルの内壁に取り付けられるものであって、本実施の形態に係る電波吸収用タイル１０を１つ以上含むものである。トンネル内装板７０は、本実施の形態に係る電波吸収用パネル６０を１つ以上含むものであってもよい。図３０に示したトンネル内装板７０は、トンネルの内壁の形状に合うように湾曲した形状になっている。
【０１４４】
本実施の形態によれば、不燃性で、光を多く反射し、且つ構造物に設けるのに適した電波吸収用タイル１０を用いて、電波吸収機能を有するトンネル内装板７０を実現することができる。
【０１４５】
なお、本発明は、上記実施の形態に限定されず、種々の変更が可能である。
例えば、電波吸収層、光反射層、電波反射層、保護層を構成する各材料は、実施の形態に示したものに限らず、適宜選択することができる。
【０１４６】
【発明の効果】
以上説明したように、請求項１ないし２６のいずれかに記載の電波吸収用タイルは、電波吸収層の第２の面に対向するように電波反射層が配置されたときに電波吸収機能を発揮する。また、電波吸収用タイルにおいて、光反射層は電波吸収層を保護すると共に光を反射する。従って、本発明によれば、電波吸収機能を発揮可能であると共に、不燃性で、光を多く反射し、且つ構造物に設けるのに適した電波吸収用タイルを実現することができるという効果を奏する。
【０１４７】
また、請求項２７記載の電波吸収用タイルの設計方法によれば、複数の電波吸収用タイルの集合体が所望の電波吸収特性を発揮できるようにすることができるという効果を奏する。
【０１４８】
また、請求項２８記載の電波吸収用タイルの取り付け方法によれば、簡単に、電波吸収機能を有する構造物を構成することができるという効果を奏する。
【０１４９】
また、請求項２９ないし３２のいずれかに記載の電波吸収構造物によれば、不燃性で、光を多く反射し、且つ構造物に設けるのに適した電波吸収用タイルを用いて、電波吸収機能を有する構造物を実現することができるという効果を奏する。
【０１５０】
また、請求項３３ないし３９のいずれかに記載の電波吸収用パネルによれば、電波吸収機能を発揮可能であると共に、不燃性で、光を多く反射し、且つ構造物に設けるのに適した電波吸収用パネルを実現することができるという効果を奏する。
【０１５１】
また、請求項４０記載の電波吸収構造物によれば、不燃性で、光を多く反射し、且つ構造物に設けるのに適した電波吸収用パネルを用いて、電波吸収機能を有する構造物を実現することができるという効果を奏する。
【０１５２】
また、請求項４１記載のトンネル内装板によれば、不燃性で、光を多く反射し、且つ構造物に設けるのに適した電波吸収用タイルを用いて、電波吸収機能を有するトンネル内装板を実現することができるという効果を奏する。
【０１５３】
また、請求項４２記載のトンネル内装板によれば、不燃性で、光を多く反射し、且つ構造物に設けるのに適した電波吸収用パネルを用いて、電波吸収機能を有するトンネル内装板を実現することができるという効果を奏する。
【０１５４】
また、請求項４３記載の不要電波反射抑制方法によれば、不燃性で、光を多く反射し、且つ構造物に設けるのに適した電波吸収用タイルを用いて、構造物における不要な電波の反射を抑制することができるという効果を奏する。
【０１５５】
また、請求項４３記載の不要電波反射抑制方法によれば、不燃性で、光を多く反射し、且つ構造物に設けるのに適した電波吸収用タイルを用いて、構造物における不要な電波の反射を抑制することができるという効果を奏する。
【０１５６】
また、請求項４４記載の不要電波反射抑制方法によれば、不燃性で、光を多く反射し、且つ構造物に設けるのに適した電波吸収用タイルを用いて、トンネル内における不要な電波の反射を抑制することができるという効果を奏する。
【０１５７】
また、請求項４５記載の不要電波反射抑制方法によれば、不燃性で、光を多く反射し、且つ構造物に設けるのに適した電波吸収用パネルを用いて、構造物における不要な電波の反射を抑制することができるという効果を奏する。
【０１５８】
また、請求項４６記載の不要電波反射抑制方法によれば、不燃性で、光を多く反射し、且つ構造物に設けるのに適した電波吸収用パネルを用いて、トンネル内における不要な電波の反射を抑制することができるという効果を奏する。
【図面の簡単な説明】
【図１】本発明の一実施の形態に係る電波吸収用タイルの断面図である。
【図２】本発明の一実施の形態における電波吸収層の縁部の形状の一例を示す断面図である。
【図３】本発明の一実施の形態における電波吸収層の縁部の形状の他の例を示す断面図である。
【図４】本発明の一実施の形態における電波吸収層の一部を拡大して模式的に示す説明図である。
【図５】本発明の一実施の形態に係る電波吸収用タイルの変形例を示す断面図である。
【図６】本発明の一実施の形態に係る電波吸収用タイルの変形例を示す断面図である。
【図７】本発明の一実施の形態に係る電波吸収用タイルの変形例を示す断面図である。
【図８】本発明の一実施の形態に係る電波吸収用タイルの変形例を示す断面図である。
【図９】本発明の一実施の形態に係る電波吸収用タイルの変形例を示す断面図である。
【図１０】本発明の一実施の形態に係る電波吸収用タイルの変形例を示す断面図である。
【図１１】本発明の一実施の形態に係る電波吸収用タイルの変形例を示す断面図である。
【図１２】本発明の一実施の形態に係る電波吸収用タイルの変形例を示す断面図である。
【図１３】本発明の一実施の形態に係る電波吸収用タイルの変形例を示す断面図である。
【図１４】本発明の一実施の形態における一体化された電波吸収層および電波反射層の形態の例を示す断面図である。
【図１５】本発明の一実施の形態における一体化された電波吸収層および電波反射層の形態の例を示す断面図である。
【図１６】本発明の一実施の形態における一体化された電波吸収層および電波反射層の形態の例を示す断面図である。
【図１７】９枚の電波吸収用タイルを含む電波吸収体の正面図である。
【図１８】図１７に示した電波吸収体の断面図である。
【図１９】図１７および図１８に示した電波吸収体の電波吸収性能の測定結果を示す特性図である。
【図２０】既設の構造物に電波吸収用タイルを取り付けて構成された電波吸収構造物の断面図である。
【図２１】本発明の一実施の形態に係る電波吸収用パネルの一例を示す正面図である。
【図２２】図２１に示した電波吸収用パネルの断面図である。
【図２３】本発明の一実施の形態に係る電波吸収用パネルの他の例を示す正面図である。
【図２４】既設の構造物に電波吸収用パネルを取り付けて構成された電波吸収構造物の一部の正面図である。
【図２５】図２４に示した電波吸収構造物の一部の断面図である。
【図２６】電波吸収用タイルの集合体についての反射減衰量の計算結果を示す特性図である。
【図２７】電波吸収用タイルの集合体についての反射減衰量の計算結果を示す特性図である。
【図２８】電波吸収用タイルの集合体についての反射減衰量の測定結果を示す特性図である。
【図２９】電波吸収用タイルの集合体についての反射減衰量の計算結果を示す特性図である。
【図３０】本発明の一実施の形態に係るトンネル内装板が設けられたトンネルの内壁を示す説明図である。
【符号の説明】
１０…電波吸収用タイル、１１…電波吸収層、１１ａ…第１の面、１１ｂ…第２の面、１１ｃ…側面１１ｃ、１２…光反射層、１７…保護層、２１…電波反射層。
【図１】
2004132065.tif 000003
【図２】
2004132065.tif 000004
【図３】
2004132065.tif 000005
【図４】
2004132065.tif 000006
【図５】
2004132065.tif 000007
【図６】
2004132065.tif 000008
【図７】
2004132065.tif 000009
【図８】
2004132065.tif 000010
【図９】
2004132065.tif 000011
【図１０】
2004132065.tif 000012
【図１１】
2004132065.tif 000013
【図１２】
2004132065.tif 000014
【図１３】
2004132065.tif 000015
【図１４】
2004132065.tif 000016
【図１５】
2004132065.tif 000017
【図１６】
2004132065.tif 000018
【図１７】
2004132065.tif 000019
【図１８】
2004132065.tif 000020
【図１９】
2004132065.tif 000021
【図２０】
2004132065.tif 000022
【図２１】
2004132065.tif 000023
【図２２】
2004132065.tif 000024
【図２３】
2004132065.tif 000025
【図２４】
2004132065.tif 000026
【図２５】
2004132065.tif 000027
【図２６】
2004132065.tif 000028
【図２７】
2004132065.tif 000029
【図２８】
2004132065.tif 000030
【図２９】
2004132065.tif 000031
【図３０】
2004132065.tif 000032